(57)【特許請求の範囲】
【請求項１】
火器の上下方向の揺動位置を調整可能とした支持装置を、走行車両と一体のベースに旋回自在に設け、その支持装置のベ−スに対する旋回方向位置を固定する固定手段を備えた車載銃架において、前記固定手段は、支持装置と一体的に設けられ、所望の旋回方向位置でベースを挟んで固定するための締付部材と、その締付部材をベースに対して締緩する締付ネジ軸と、締付ネジ軸を回転可能な入力部材とを備え、その入力部材は、締付ネジ軸の軸芯に設けた支持孔に回転かつ軸方向に所定量移動可能に支持されている軸部とその軸部に設けた把手とから成り、入力部材と締付ネジ軸との対向端面に入力部材の軸方向移動により互いに係脱する噛合部を設け、支持孔内の軸部と締付ネジ軸との間に軸部を噛合部が外れる方向へ付勢する付勢部材を介在させて固定状態解除防止機構を構成して成ることを特徴とする火器の車載銃架。
【請求項２】
締付ネジ軸の長手中間部に支持孔の内側に突出するようにピンを挿着し、そのピンに入力部材の軸部に設けた小径部の前後にある段部を当接させて入力部材の軸方向移動を規制し、入力部材の締付ネジ軸からの離脱を防止して成ることを特徴とする請求項１記載の火器の車載銃架。
【請求項３】
締付部材が締付ける位置のベース外周面に多数の凹部を設け、締付部材が凹部に食い込むように締付けられるようにして成ることを特徴とする請求項１記載の火器の車載銃架。
【発明の詳細な説明】
【０００１】
【発明の属する技術分野】
本発明は、自動てき弾銃、機関銃等の火器を野戦汎用車等の走行車両上に旋回自在に支持する車載式の銃架に関する。
【０００２】
【従来の技術】
従来の車載銃架として図６に示すものがある。これによれば、火器Ａを上下方向に揺動可能に支持する揺架部Ｂと、火器Ａの後端部に一端Ｃを上下揺動可能に取付け、他端がベ−スＥ外周に旋回自在に嵌め込まれるリング部Ｄとなっており、前記一端Ｃがリング部Ｄに対して接近、離反するように構成されている火器Ａの上下方向の揺動位置調整装置Ｆとから火器Ａの支持装置が構成され、この支持装置における前記揺架部Ｂがベ−スＥに旋回自在に支持されると共に、前記リング部Ｄがベ−スＥ外周に揺架部Ｂの旋回軸線と同心に嵌め込まれて、支持装置全体が水平旋回するようになっており、かつ、前記リング部Ｄは、２つ割りになっていて、ベ−スＥ外周に対して、ハンドルＧを分離不能に有するネジ部材Ｈにより２つのリング片Ｄ１・Ｄ２を締付けて、支持装置の旋回方向位置を固定する固定手段になっている。
【０００３】
【発明が解決しようとする課題】
従来の火器の旋回方向位置を固定する固定手段を備えた車載銃架では、火器を水平方向に旋回するために、リング部をベ−スに対して固定状態にしているネジ部材を緩めてリング部の固定状態を解除し、火器を旋回させ旋回方向位置を決定後、再びリング部を固定状態にするためにネジ部材を締付けている。しかし、火器の発射反動や車両走行による振動等でネジ部材と一体のハンドルが回動してしまいリング部の固定状態を解除し、火器が自由に旋回してしまう問題があった。そこで、本発明の課題は、発射反動や車両走行の振動等が加わっても、それにより支持装置の固定状態が解除することのない固定手段を備えた火器の車載銃架を提供することにある。更に、本願の他の課題は、操作が容易な固定手段を備えた火器の車載銃架を提供することにある。
【０００４】
【課題を解決するための手段】
本発明は、火器の上下方向の揺動位置を調整可能とした支持装置を、走行車両と一体のベースに旋回自在に設け、その支持装置のベ−スに対する旋回方向位置を固定する固定手段を備えた車載銃架において、前記固定手段は、支持装置と一体的に設けられ、所望の旋回方向位置でベースを挟んで固定するための締付部材と、その締付部材をベースに対して締緩する締付ネジ軸と、締付ネジ軸を回転可能な入力部材とを備え、その入力部材は、締付ネジ軸の軸芯に設けた支持孔に回転かつ軸方向に所定量移動可能に支持されている軸部とその軸部に設けた把手とから成り、入力部材と締付ネジ軸との対向端面に入力部材の軸方向移動により互いに係脱する噛合部を設け、支持孔内の軸部と締付ネジ軸との間に軸部を噛合部が外れる方向へ付勢する付勢部材を介在させて固定状態解除防止機構を構成して成ることを特徴とする。
【０００５】
また本発明は、締付ネジ軸の長手中間部に支持孔の内側に突出するようにピンを挿着し、そのピンに入力部材の軸部に設けた小径部の前後にある段部を当接させて入力部材の軸方向移動を規制し、入力部材の締付ネジ軸からの離脱を防止して成ることを特徴とする。
【０００６】
また本発明は、締付部材が締付ける位置のベース外周面に多数の凹部を設け、締付部材が凹部に食い込むように締付けられるようにして成ることを特徴とする。
【０００７】
【発明の実施の形態】
実施の形態について図面を参照して説明する。図１〜４において、車載銃架１のベ−ス２を野戦汎用車等の走行車両３上にネジ４で固着している。ベ−ス２の上部には、火器５の上下方向の揺動位置を調整可能とした支持装置６が旋回自在に支持してあり、支持部材７の旋回軸７ａに設けた環状溝７ｂとベ−ス２にまたがって嵌脱される連結ピン８により、ベ−ス２に対して着脱自在に装着されている。支持部材７前部に旋回軸７ａの軸線と同軸上に設けたテ−パ孔７ｃに、火器５を上下に揺動可能に支持する脚架部９のテ−パ軸９ａが、テ−パ軸９ａに設けた円弧溝９ｂと支持部材７にまたがって嵌脱される連結ピン１０により、着脱自在に装着してある。脚架部９の上端には、揺架部１１の前部が火器５の中間部と共に上下方向揺動自在に支持されると共に、揺架部１１の後部と火器５はピン１２で連結してある。支持部材７後端部７ｄには、前記脚架部９に支持された火器５を上下に揺動させる高低装置（揺動位置調整装置）１３の中間部１３ａが取付けられ、高低装置１３の上端部１３ｂは揺架部１１の後方下端部にピン連結している。高低装置１３は、転輪１４を回転させることで上端部１３ｂの上下方向位置を変更するようになっており、こうして、火器５は揺架部１１ごと軸５ａを中心に上下に揺動可能である。
【０００８】
次に、支持装置６のベ−ス２に対する旋回方向位置を固定する固定手段１５はベ−ス２上端部に設けてある。固定手段１５の締付部材１６は、２分割された締付基部１７の前方に環状の締付部１８を形成し、締付部１８には旋回軸７ａと同軸に形成された円筒上のベ−ス外周面２ａを挾持する挾持孔１８ａが設けてある。締付部１８をベ−ス２上端部のベ−ス外周面２ａに嵌め込み、ベ−ス２のフランジ部２ｂに締付部１８の下側端面を当接させ、締付部材１６をベ−ス２に水平旋回自在に取付ける。締付部材１６の締付基部１７の一方１７ａには、締付ネジ軸１９のネジ部１９ａと螺合するネジ孔２０を設け、もう一方１７ｂには、ネジ孔２０と同軸の段付孔２１を設けている。締付基部１７の上面には、締付部材１６を支持装置６と一体的に旋回するように係合溝１７ｃが設けてあり、支持部材７下面に設けてある突出部７ｅに一体係合している。段付孔２１を通して挿通した締付ネジ軸１９をネジ孔２０に螺合すると、段付孔２１の段部２１ａに締付ネジ軸１９のフランジ部１９ｂが当接し、２分割している締付基部１７は締付ネジ軸１９によって締付けられ、締付部１８の挾持孔１８ａがベ−ス２の外周面２ａを挾持し、締付部材１６が固定状態となり支持装置６の旋回方向位置を固定する。
【０００９】
上記締付ネジ軸１９の軸芯には軸方向の支持孔１９ｃが設けてある。入力部材２２は支持孔１９ｃに締付ネジ軸１９中心に回転かつ軸方向に移動可能に支持されている軸部２２ａと、その軸部２２ａの締付ネジ軸１９から突出している端部に固着している把手２２ｂから成る。入力部材２２の軸方向移動で締付ネジ軸１９と入力部材２２とを係脱させる噛合部２３が設けてある。この噛合部２３は、締付ネジ軸１９の把手２２ｂとの対向端面に形成した溝１９ｄと、把手２２ｂに設けた前記溝１９ｄに係脱する突起部２２ｃとから構成されている。又、溝と突起部は逆に形成しても良く、その溝形状は入力部材２２と締付ネジ軸１９が一体的に回動できる形状であれば良い。
【００１０】
支持孔１９ｃの長手略中間位置に、支持孔１９ｃの軸線に対して垂直方向へ支持孔１９ｃの内側に径の半分が突出するようにピン２４を挿着している。ピン２４に軸部２２ａの小径部２２ｄの前後にある段部２２ｅが当接することで、入力部材２２の軸方向移動を規制し、入力部材２２の締付ネジ軸１９からの離脱を防止する。支持孔１９ｃと入力部材２２の軸部２２ａとの間に、前記噛合部２３が外れる方向に軸部２２ａを付勢するバネ２５を介在している。バネ２５の強さは、外部から入力部材２２の軸部２２ａを押し込む方向に力が作用した時に、入力部材２２の突起部２２ｃが締付ネジ軸１９の溝１９ｄと噛み合うまでたわみ、押込力がなくなると、突起部２２ｃと溝１９ｄの噛み合いを解除する位置まで入力部材２２を軸方向へ押し戻し、その状態を維持するような強さに設定してある。このような強さに設定したバネ２５と、締付部材１６をベ−ス２に固定させる締付ネジ軸１９に対して係脱される入力部材２２によって本実施態様では、固定状態解除防止機構２６が構成される。
【００１１】
火器５の水平射撃方向を変える時、把手２２ｂを握り、バネ２５力に抗して軸部２２ａを押し込み、溝１９ｄと突起部２２ｃを係合して締付ネジ軸１９を緩める。これにより締付部材１６のベ−ス外周面２ａの挾持が解除される。その状態で火器５を旋回させ、所望の旋回位置で溝１９ｄと突起部２２ｃを再び噛み合わせ、締付ネジ軸１９と入力部材２２を一体とする。その状態で入力部材２２を回転させ締付ネジ軸１９を介して、締付部材１６をベ−ス２に固定状態にさせ支持装置６の旋回方向位置を固定する。締付後、把手２２ｂから手を離すと、入力部材２２はバネ２５によって自動的に軸方向外側に押し戻され、溝１９ｄと突起部２２ｃの噛み合いが解除され、入力部材２２は自由に回転できる。これにより、火器５の発射反動や車両３走行の振動等で把手２２ｂが回動することがあっても、その回転は締付部材１６を締付けて固定状態にしている締付ネジ軸１９に伝わらず、締付ネジ軸１９自身は回転しないので支持装置６の旋回方向の固定状態が維持される。
【００１２】
本願では、締付ネジ軸１９と入力部材２２とが係脱すればよいから、締付ネジ軸１９に対して取外し自在に把手２２ｂを有する入力部材２２を設ける態様も含まれるが、上述してきた実施形態では、締付部材１６を固定状態にする締付ネジ軸１９に対して入力部材２２を取外し不能に設けているので、入力部材２２を締付ネジ軸１９から完全に取り去ることがないから入力部材２２の紛失がない上に、入力部材２２を締付ネジ軸１９に対して押し込むだけで両者を一体にし、締付後は手を離せば両者の一体係合が解除されるから、操作容易で、しかも入力部材２２と締付ネジ軸１９の切り離し忘れがない。又、図５に示すような連続した凹部２７をベ−ス外周面２ａに設けると、締付部１８の挾持孔１８ａが凹部２７に食い込むように締付られるので、締付部材１６の回転方向に対する抵抗力が増し、締付部材１６をより確実に固定状態にすることができる。
【００１３】
【発明の効果】
以上のように本発明は、火器の旋回方向位置を固定する固定手段を備えた車載銃架において、火器の発射反動や車両走行の振動等の外力による支持装置の旋回方向の固定状態が固定状態解除防止機構により維持されるため、目標を的確に捉えて射撃でき、また、車両走行中に火器が不意に旋回することを防止できる。また、本発明では、締付ネジ軸と入力部材とを係合した状態で締付けて支持部材の旋回方向位置を固定状態にした後、入力部材と締付ネジ軸の係合を外すようにしたので、発射反動等で入力部材が締付ネジ軸を緩めることがなく、支持装置の旋回方向位置が維持される。また、本発明では、入力部材を軸方向に移動することで入力部材と締付ネジ軸とを連結、切り離すことができるので、操作が容易である。また、入力部材を締付ネジ軸の軸芯に設けた支持孔に回転かつ軸方向に所定量移動可能に設けたので、入力部材が外されることがなく、これを紛失することがない。更に、噛合部の噛み合い状態で、締付ネジ軸を締めて、旋回位置を固定し、その後、把手から手を離すと、支持孔内の軸部と締付ネジ軸との間に介在された付勢手段により、入力部材と締付ネジ軸との対向端面に設けた噛合部の噛み合いが外れるようにしたから噛み合い解除忘れがなく、発射反動等の入力部材の回動による締付ネジ軸の回動を確実に防止できる。
【００１４】
また、本発明では、締付ネジ軸の長手中間部に支持孔の内側に突出するようにピンを挿着し、そのピンに入力部材の軸部に設けた小径部の前後にある段部を当接させて入力部材の軸方向移動を規制し、入力部材の締付ネジ軸からの離脱を防止するようにしたので、入力部材を締付ネジ軸に対して押し込むだけで両者を一体にし、締付後は手を離せば両者の一体係合が解除されると共にピンによって入力部材の締付ネジ軸からの離脱が防止されるので、操作容易で、しかも入力部材と締付ネジ軸の切り離し忘れをなくすことができる。また、本発明では、締付部材が締付ける位置のベース外周面に多数の凹部を設け、締付部材が凹部に食い込むように締付けられるようにしたので、締付部材の回転方向に対する抵抗力が増し、締付部材をより確実に固定状態にすることができる。
【図面の簡単な説明】
【図１】本実施例の車載銃架の側面図である。
【図２】図１のＩＩ−ＩＩ線拡大断面図である。
【図３】図１のＩＩＩ−ＩＩＩ線拡大断面図である。
【図４】締付ネジ軸と入力部材による噛合部を示す図である。
【図５】本発明の車載銃架の別の実施例を示す図である。
【図６】従来の車載銃架を示す図である。
【符号の説明】
１  車載銃架
２  ベ−ス
３  走行車両
５  火器
６  支持装置
１５  固定手段
１６  締付部材
１９  締付ネジ軸
２２  入力部材
２２ａ軸部
２２ｂ把手
２３  噛合部
２５  バネ
２６  固定状態解除防止機構
【図１】
0003902284.tif 000002
【図２】
0003902284.tif 000003
【図３】
0003902284.tif 000004
【図４】
0003902284.tif 000005
【図５】
0003902284.tif 000006
【図６】
0003902284.tif 000007